【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
情報処理端末から、ネットワークを介して、商品の注文を受け付ける情報処理装置において、
前記ネットワークを介して、前記情報処理端末からの要求に応じて、注文する商品の選択を行うための画面データを提供する画面データ提供手段と、
前記画面データの提供を受けた前記情報処理端末から、前記ネットワークを介して送信されてくる前記商品の注文を受け付ける注文受付手段と、
前記注文受付手段により受け付けられた前記商品の注文数をカウントするカウント手段と、
前記カウント手段によりカウントされた前記商品の注文数が、前記商品に応じて設定されている注文上限数を超えたか否かを判定する上限数判定手段と、
前記上限数判定手段により前記商品の注文数が、前記注文上限数を超えたと判定された場合、前記画面データ提供手段により前記情報処理端末に提供される画面データを、前記注文する商品の選択を不可能とした画面データに置き換えるデータ置換手段と
を備えることを特徴とする情報処理装置。
【請求項２】
前記上限数判定手段により前記商品の注文数が、前記商品に応じて設定されている注文上限数を超えたと判定された場合、他の情報処理装置に対しての、前記注文数を超えたと判定された前記商品の発注を制御する商品発注制御手段を
さらに備えることを特徴とする請求項１に記載の情報処理装置。
【請求項３】
情報処理端末から、ネットワークを介して、商品の注文を受け付ける処理をコンピュータに実行させるプログラムであって、
前記ネットワークを介して、前記情報処理端末からの要求に応じて、注文する商品の選択を行うための画面データを提供する画面データ提供ステップと、
前記画面データの提供を受けた前記情報処理端末から、前記ネットワークを介して送信されてくる前記商品の注文を受け付ける注文受付ステップと、
前記注文受付ステップの処理により受け付けられた前記商品の注文数をカウントするカウントステップと、
前記カウントステップの処理によりカウントされた前記商品の注文数が、前記商品に応じて設定されている注文上限数を超えたか否かを判定する上限数判定ステップと、
前記上限数判定ステップの処理により前記商品の注文数が、前記注文上限数を超えたと判定された場合、前記画面データ提供ステップの処理により前記情報処理端末に提供される画面データを、前記注文する商品の選択を不可能とした画面データに置き換えるデータ置換ステップと
を含むことを特徴とするプログラム。
【請求項４】
前記上限数判定ステップの処理により前記商品の注文数が、前記商品に応じて設定されている注文上限数を超えたと判定された場合、情報処理装置に対しての、前記注文数を超えたと判定された前記商品の発注を制御する商品発注制御ステップを
さらに含むことを特徴とする請求項３に記載のプログラム。
【手続補正２】
【補正対象書類名】明細書
【補正対象項目名】発明の名称
【補正方法】変更
【補正の内容】
【発明の名称】情報処理装置およびプログラム
【手続補正３】
【補正対象書類名】明細書
【補正対象項目名】０００１
【補正方法】変更
【補正の内容】
【０００１】
本発明は、情報処理装置およびプログラムに関し、特に、受注時におけるレスポンスを早くし、ユーザの待ち時間を短縮することができるようにした情報処理装置およびプログラムに関する。
【手続補正４】
【補正対象書類名】明細書
【補正対象項目名】００２１
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】変更
【補正の内容】
【００２７】
本発明においては、ネットワークを介して、情報処理端末からの要求に応じて、注文する商品の選択を行うための画面データが提供され、画面データの提供を受けた情報処理端末から、ネットワークを介して送信されてくる商品の注文が受け付けられ、受け付けられた商品の注文数がカウントされる。そして、カウントされた商品の注文数が、商品に応じて設定されている注文上限数を超えたか否かが判定され、商品の注文数が、注文上限数を超えたと判定された場合、情報処理端末に提供される画面データが、注文する商品の選択を不可能とした画面データに置き換えられる。
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】変更
【補正の内容】
【００３４】
請求項１に記載の情報処理装置は、ネットワーク（例えば、図２のインターネット５２）を介して、情報処理端末（例えば、図２のユーザ端末５１−１）からの要求に応じて、注文する商品の選択を行うための画面データを提供する画面データ提供手段（例えば、図５の表示データ提供部１５４）と、画面データの提供を受けた情報処理端末から、ネットワークを介して送信されてくる商品の注文を受け付ける注文受付手段（例えば、図５の受信入力部１５１）と、注文受付手段により受け付けられた商品の注文数をカウントするカウント手段（例えば、図６の仮受注データ集信部１７２）と、カウント手段によりカウントされた商品の注文数が、商品に応じて設定されている注文上限数を超えたか否かを判定する上限数判定手段（例えば、図６の上限数判定部１７８）と、上限数判定手段により商品の注文数が、注文上限数を超えたと判定された場合、画面データ提供手段により情報処理端末に提供される画面データを、注文する商品の選択を不可能とした画面データに置き換えるデータ置換手段（例えば、図５の表示データ置換部１５５）とを備えることを特徴とする。
【手続補正９】
【補正対象書類名】明細書
【補正対象項目名】００３５
【補正方法】変更
【補正の内容】
【００３５】
請求項２に記載の上限数判定手段により商品の注文数が、商品に応じて設定されている注文上限数を超えたと判定された場合、他の情報処理装置（図２の発注サーバ５４）に対しての、注文数を超えたと判定された商品の発注を制御する商品発注制御手段（例えば、図６の発注制御部１８０）をさらに備えるようにすることができる。
【手続補正１０】
【補正対象書類名】明細書
【補正対象項目名】００３６
【補正方法】変更
【補正の内容】
【００３６】
請求項３に記載の本発明のプログラムは、ネットワークを介して、情報処理端末からの要求に応じて、注文する商品の選択を行うための画面データを提供する画面データ提供ステップ（例えば、図１４のステップＳ４６）と、画面データの提供を受けた情報処理端末から、ネットワークを介して送信されてくる商品の注文を受け付ける注文受付ステップ（例えば、図１４のステップＳ４８）と、注文受付ステップの処理により受け付けられた商品の注文数をカウントするカウントステップ（例えば、図１２のステップＳ１４）と、カウントステップの処理によりカウントされた商品の注文数が、商品に応じて設定されている注文上限数を超えたか否かを判定する上限数判定ステップ（例えば、図１３のステップＳ２３）と、上限数判定ステップの処理により商品の注文数が、注文上限数を超えたと判定された場合、画面データ提供ステップの処理により情報処理端末に提供される画面データを、注文する商品の選択を不可能とした画面データに置き換えるデータ置換ステップ（例えば、図１３のステップＳ２４）とを含むことを特徴とする。
【手続補正１１】
【補正対象書類名】明細書
【補正対象項目名】００３７
【補正方法】変更
【補正の内容】
【００３７】
請求項４に記載の本発明のプログラムは、商品の注文数が、商品に応じて設定されている注文上限数を超えたと判定された場合、情報処理装置に対しての、注文数を超えたと判定された商品の発注を制御する商品発注制御ステップ（例えば、図１３のステップＳ２６）をさらに含むようにすることができる。